(57)【要約】【課題】ウェアラブル型のディスプレイ搭載情報通信端末に向けて仮想情報を配信する仮想情報管理システムにおいて、より良質な情報、整理された情報を継続的に蓄積する。【解決手段】ウェアラブル型情報通信端末向けに仮想情報を配信する仮想情報管理システムにおいて、仮想情報を蓄積する仮想情報データベース１と、仮想情報管理システム１を利用しているユーザのユーザ情報を蓄積するユーザデータベース１３と、仮想情報データベースから質を向上すべき１つ以上の仮想情報である整理対象仮想情報群を選定する整理対象仮想情報選定部１５と、ユーザデータベースから当該仮想情報群を整理してもらう整理対象ユーザを選定する整理対象ユーザ選定部１６と、整理前後における仮想情報群に関する情報に基づき、当該仮想情報群を整理した整理対象ユーザに付与する報酬を決定する報酬判定部１８を備える。【選択図】図１
2015153157.tif 000002
【特許請求の範囲】
【請求項１】
ウェアラブル型情報通信端末向けに仮想情報を配信する仮想情報管理システムにおいて、
前記ウェアラブル型情報通信端末に配信する仮想情報を蓄積する仮想情報データベースと、
前記仮想情報管理システムを利用しているユーザのユーザ情報を蓄積するユーザデータベースと、
前記仮想情報データベースから質を向上すべき１つ以上の仮想情報である整理対象仮想情報群を選定する整理対象仮想情報選定手段と、
前記ユーザデータベースから当該仮想情報群を整理してもらう整理対象ユーザを選定する整理対象ユーザ選定手段と、
整理前後における仮想情報群に関する情報に基づき、当該仮想情報群を整理した整理対象ユーザに付与する報酬を決定する報酬判定手段と、
を備えることを特徴とする仮想情報管理システム。
【請求項２】
前記仮想情報毎に前記ウェアラブル型情報通信端末からの利用数を管理する仮想情報データベース管理手段と、
前記仮想情報毎に位置情報を管理する仮想情報位置管理手段と、を備え、
前記整理対象仮想情報選定手段は、仮想情報自体の新鮮さ、仮想情報へのユーザの注目度、周囲の仮想情報との位置的密集度、周囲の仮想情報との情報内容類似度のうちの一つ若しくは複数の組み合わせで決まる整理必要度を算出し、該整理必要度から整理対象仮想情報群を選定する
請求項１に記載の仮想情報管理システム。
【請求項３】
ユーザ毎に過去に仮想情報管理システムにアップロードした仮想情報、利用した仮想情報、修正した仮想情報を管理するユーザデータベース管理手段を備え、
前記整理対象ユーザ選定手段は、前記整理対象仮想情報群への関与度、前記整理対象仮想情報群への興味度、仮想情報管理システム全体への貢献度、仮想情報管理システム全体への利用積極度のうちの一つ若しくは複数の組み合わせで決まる整理適合度を算出し、該整理適合度から前記整理対象仮想情報群を整理するのに適した整理対象ユーザを選定する
請求項１に記載の仮想情報管理システム。
【請求項４】
前記興味度、前記貢献度、前記利用積極度は、整理対象ユーザが仮想情報管理システムを利用する直近の時間変化率で定義される請求項３に記載の仮想情報管理システム。
【請求項５】
前記報酬判定手段は、
前記整理対象ユーザの整理依頼に対する積極度、整理完了有無、整理作業による利用数変化度、整理作業による情報量変化度、整理作業による情報の分かりやすさ、他ユーザからの評価のうちの一つ若しくは複数の組み合わせに基づき報酬を決定する
請求項１に記載の仮想情報管理システム。
【請求項６】
前記ウェアラブル型情報通信端末は、ユーザが見ている現実世界の位置、方向、現実世界に存在する物体を識別し、出力手段を通じて該当する仮想情報をユーザに提示する
請求項１から５のいずれかに記載の仮想情報管理システム。
【請求項７】
前記整理対象仮想情報群を前記整理対象ユーザが整理した際、その内容を他のユーザからの評価に基づいて更新する整理情報評価部を備える
請求項１から６のいずれかに記載の仮想情報管理システム。
【請求項８】
前記整理対象ユーザ選定手段は、前記整理対象仮想情報群を前記整理対象ユーザが整理した際の他のユーザからの評価を加味して整理適合度を算出する
請求項３に記載の仮想情報管理システム。
【請求項９】
前記整理対象仮想情報群を前記整理対象ユーザが整理した際、その内容を評価するユーザを選定する評価ユーザ選定部を備え、
前記整理対象仮想情報群への興味度、仮想情報システム全体への貢献度、仮想情報システム全体への利用積極度で決まる評価適合度を算出し、該評価適合度から前記整理対象ユーザを選定する
請求項７又は請求項８に記載の仮想情報管理システム。
【発明の詳細な説明】
【技術分野】
【０００１】
本発明は、ウェアラブル型情報通信端末から収集した情報、あるいは、ウェアラブル型情報通信端末等に配信する情報を管理する仮想情報管理システムに関する。
【背景技術】
【０００２】
近年、携帯電話やスマートフォンが欠かせないものとなった生活状況において、次世代端末として、ウェアラブル型情報通信端末（ウェアラブル端末）が注目されている。その中でも特に、マルチメディアコンテンツを出力することが可能なディスプレイおよびヘッドフォンを搭載したウェアラブル端末として、眼鏡のように身に着けることができる端末が注目されている。今後の技術革新により、端末の小型化、ディスプレイに表示されるコンテンツの高精細化、バッテリーの持続時間長期化などが進み、利用者数の増大が期待される。
【０００３】
携帯電話やスマートフォンでは、外出先でもインターネットに接続でき、多種多様な情報にアクセスできる。中でも、利用者（ユーザ）のいる場所に紐づいた情報にアクセスできるよう、携帯電話やスマートフォンに内蔵されたセンシングデバイスを利用して、ユーザのいる場所を特定、および、ユーザが見ている場所を特定する技術がある。
例えば、ユーザのいる場所を特定するため、内蔵されたＧＰＳセンサを利用してユーザの緯度経度を算出する技術や、ユーザが見ている場所を特定するため、内蔵されたカメラを利用し、視界を撮影するようにカメラを翳し、カメラに映る映像データに対して映像解析技術を用いて、映る物体や場所を推定する技術がある。
【０００４】
さらに、現実世界をカメラで映した映像に、仮想情報を重畳した上で、ディスプレイに表示する技術がある。この技術は、一般にＡＲあるいはＭＲと呼ばれている。
特許文献１および特許文献２では、携帯端末のカメラで撮影した画像と、撮影方向をサーバに送信し、サーバにて、携帯端末の位置、方向、撮影された現実世界に含まれる対象物を把握し、重畳するのにふさわしい仮想情報を読み出す。読み出した仮想情報は、携帯端末に送信され、携帯端末上で、撮影された現実世界に重畳して表示されるシステムが開示されている。
仮想情報自体は、例えば、現実世界にある店舗の呼び込み広告、複合施設内の店舗案内情報、経路案内情報などがある。これらは、現実世界に存在する施設を管理する企業などが制作、管理、配信するものだけでなく、一般ユーザの口コミ情報、つぶやき、お知らせなど、所謂、ＣＧＭも含まれる。これらの仮想情報は、緯度経度の情報を基本的に含んでおり、当該緯度経度において現実世界の対象物が存在する方位の情報も含む。
【０００５】
特許文献１および特許文献２では、仮想情報が記録されたデータベースの更新方法として、携帯端末上でユーザが入力したテキスト、ハイパーリンク、写真、画像、動画、音声と、携帯端末の位置情報をサーバに送信することが記載されている。
また、携帯端末に送信して表示する仮想情報に関する対象物数が閾値より大きい場合は、携帯端末から近い対象物に関する仮想情報を優先的に送信して表示することが記載されている。さらに、仮想情報自体に重要度が別途付与され、その順番で表示することが記載されている。
【０００６】
更に、ジャンル、ユーザのプロファイル（年齢、性別、職業など）、ユーザのニーズ、時刻に対応した取捨選択についても記載されている。
また、ハイパーリンクに変換した上で表示する、音声で出力する、ユーザの視認可能な距離範囲内にある対象物に限定するなどによって、ディスプレイに表示されるコンテンツ数を削減することが記載されている。
【０００７】
特許文献３では、ウェアラブル端末を含むモバイル端末を利用して、場所や時間に依存した情報を複数の端末、ユーザ間で交換することができる情報共有システムについて開示されている。すなわち、複数のユーザが情報を共有するシステムにおいて、あるユーザの携帯端末から送信される質問とその位置情報に基づき、該当する情報を検索し、端末側に返信することが行われる。情報の選定には、位置的に一定範囲内、意味的に同じ範囲内で登録された同じ位置にある情報を検索結果としている。
【先行技術文献】
【特許文献】
【０００８】
【特許文献１】特開２０１１−２４２８１８号公報
【特許文献２】ＷＯ２０１１／００４６０８
【特許文献３】特開２００３−２８８３５７号公報
【発明の概要】
【発明が解決しようとする課題】
【０００９】
将来的には、上述したウェアラブル型のディスプレイ搭載端末が爆発的に増加し、仮想情報数自体もますます増加することが予想される。ウェアラブル型情報通信端末を通じて提示する情報は、位置情報に紐づいて膨大な数が蓄積される。端末が表示可能とする情報には、ユーザにとって有益な情報も存在する一方、有益でない情報も多く存在する可能性がある。有益でない情報には、１つ１つが細かくまとまりがない情報、複数の情報間に整合性が取れていない情報、その位置にある現実世界とは無関係な情報なども含まれる。ユーザにとって有益でない情報が、ユーザの身に着けているディスプレイ搭載端末に表示されると、ユーザは有益な情報を取捨選択するのが難しいという課題があった。
したがって、ウェアラブル型のディスプレイ端末に向けて情報配信する仮想情報管理システムが、ユーザにとって有益な情報を得るとともに、ユーザにとって不利益な情報を排除することで、ユーザにとって使い易いものとするためには、ＣＧＭとして蓄積される仮想情報を整理するプラットフォームが必要となる。従来、仮想情報の整理についての処理を行うシステムは存在しなかった。
【００１０】
ここで整理とは、複数の仮想情報を１つの仮想情報に集約する、あるいは不要な仮想情報を削除することを言う。ただし、整理する前の仮想情報を情報管理システムから完全に削除せず、整理された履歴と整理前の情報にアクセスすることができるようにするものであってもよい。
【００１１】
本発明は上記実情に鑑みて提案されたもので、ウェアラブル型のディスプレイ搭載情報通信端末に向けて仮想情報を配信する仮想情報管理システムにおいて、より良質な情報、整理された情報を継続的に蓄積できる仮想情報管理システムを提供することを目的としている。
【課題を解決するための手段】
【００１２】
上記目的を達成するため本発明の仮想情報管理システムは、蓄積された仮想情報を整理するプラットフォームを提供するシステムであり、仮想情報を蓄積したデータベースにおいて、整理が必要な整理対象仮想情報を選定する手段、選定した整理対象情報を整理してもらう整理対象ユーザを選定する手段、整理を行った整理対象ユーザに付与する報酬を決定する手段を備えている。
【００１３】
すなわち、請求項１は、ウェアラブル型情報通信端末向けに仮想情報を配信する仮想情報管理システムにおいて、次の構成を含むことを特徴としている。
前記ウェアラブル型情報通信端末に配信する仮想情報を蓄積する仮想情報データベース。
前記仮想情報管理システムを利用しているユーザのユーザ情報を蓄積するユーザデータベース。
前記仮想情報データベースから質を向上すべき１つ以上の仮想情報である整理対象仮想情報群を選定する整理対象仮想情報選定手段。
前記ユーザデータベースから当該仮想情報群を整理してもらう整理対象ユーザを選定する整理対象ユーザ選定手段。
整理前後における仮想情報群に関する情報に基づき、当該仮想情報群を整理した整理対象ユーザに付与する報酬を決定する報酬判定手段。
【００１４】
請求項２は、請求項１の仮想情報管理システムにおいて、
前記仮想情報毎に前記ウェアラブル型情報通信端末からの利用数を管理する仮想情報データベース管理手段と、
前記仮想情報毎に位置情報を管理する仮想情報位置管理手段と、を備え、
前記整理対象仮想情報選定手段は、仮想情報自体の新鮮さ、仮想情報へのユーザの注目度、周囲の仮想情報との位置的密集度、周囲の仮想情報との情報内容類似度のうちの一つ若しくは複数の組み合わせで決まる整理必要度を算出し、該整理必要度から整理対象仮想情報群を選定することを特徴としている。
【００１５】
請求項３は、請求項１の仮想情報管理システムにおいて、
ユーザ毎に過去に仮想情報管理システムにアップロードした仮想情報、利用した仮想情報、修正した仮想情報を管理するユーザデータベース管理手段を備え、
前記整理対象ユーザ選定手段は、前記整理対象仮想情報群への関与度、前記整理対象仮想情報群への興味度、仮想情報管理システム全体への貢献度、仮想情報管理システム全体への利用積極度のうちの一つ若しくは複数の組み合わせで決まる整理適合度を算出し、該整理適合度から前記整理対象仮想情報群を整理するのに適した整理対象ユーザを選定することを特徴としている。
【００１６】
請求項４は、請求項３の仮想情報管理システムにおいて、
前記興味度、前記貢献度、前記利用積極度は、整理対象ユーザが仮想情報管理システムを利用する直近の時間変化率で定義されることを特徴としている。
【００１７】
請求項５は、請求項１の仮想情報管理システムにおいて、
前記報酬判定手段は、
前記整理対象ユーザの整理依頼に対する積極度、整理完了有無、整理作業による利用数変化度、整理作業による情報量変化度、整理作業による情報の分かりやすさ、他ユーザからの評価のうちの一つ若しくは複数の組み合わせに基づき報酬を決定することを特徴としている。
【００１８】
請求項６は、請求項１から５のいずれかに記載の仮想情報管理システムにおいて、
前記ウェアラブル型情報通信端末は、ユーザが見ている現実世界の位置、方向、現実世界に存在する物体を識別し、出力手段を通じて該当する仮想情報をユーザに提示することを特徴としている。
【００１９】
請求項７は、請求項１から６のいずれかに記載の仮想情報管理システムにおいて、
前記整理対象仮想情報群を前記整理対象ユーザが整理した際、その内容を他のユーザからの評価に基づいて更新する整理情報評価部を備えることを特徴としている。
【００２０】
請求項８は、請求項３の仮想情報管理システムにおいて、
前記整理対象ユーザ選定手段は、前記整理対象仮想情報群を前記整理対象ユーザが整理した際の他のユーザからの評価を加味して整理適合度を算出することを特徴としている。
【００２１】
請求項９は、請求項７又は請求項８の仮想情報管理システムにおいて、
前記整理対象仮想情報群を前記整理対象ユーザが整理した際、その内容を評価するユーザを選定する評価ユーザ選定部を備え、
前記整理対象仮想情報群への興味度、仮想情報システム全体への貢献度、仮想情報システム全体への利用積極度で決まる評価適合度を算出し、該評価適合度から前記整理対象ユーザを選定することを特徴としている。
【発明の効果】
【００２２】
請求項１によれば、ウェアラブル型情報通信端末向け情報を共有する仮想情報管理システムにおいて、整理対象仮想情報選定手段により選定した整理対象仮想情報群について、整理対象ユーザ選定手段により選定した整理対象ユーザが整理するので、より良質な情報、整理された仮想情報を継続的に蓄積することができる。
また、仮想情報を提示されたウェアラブル型情報通信端末ユーザにおいて、仮想情報が多過ぎることによる目障りを解消するとともに、サービス提供者からの一方的な情報だけでなく、一般のユーザ目線での仮想情報を蓄積して表示することで、より有益な仮想情報を得ることができる。
【００２３】
請求項２によれば、整理対象仮想情報選定手段は、整理必要度から整理対象仮想情報群を選定するので、整理が必要な仮想情報を確実に選定することができる。
【００２４】
請求項３によれば、整理対象ユーザ選定手段は、整理適合度から整理対象ユーザを選定するので、仮想情報の整理に適した整理対象ユーザを確実に選定することができる。
【００２５】
請求項４によれば、興味度、貢献度、利用積極度を時間変化率で定義することで、各値が負の値になり得ることから、整理対象ユーザ選定手段において、整理対象ユーザに適しないユーザを選定し難くすることができる。
【００２６】
請求項５によれば、報酬判定手段による報酬の決定は、整理対象ユーザの整理依頼に対する積極度、整理完了有無、整理作業による利用数変化度、整理作業による情報量変化度、整理作業による情報の分かりやすさ、他ユーザからの評価のうちの一つ若しくは複数の組み合わせに基づき行われるので、整理対象ユーザによる整理対象仮想情報の整理内容に応じた報酬額を決定することができる。
【００２７】
請求項６によれば、ウェアラブル型情報通信端末は、出力手段を通じて、ユーザが見ている現実世界の画像に重畳して仮想情報を表示することができる。
【００２８】
請求項７によれば、整理情報評価部を備えることで、整理対象ユーザによる整理対象仮想情報群の整理の評価について、客観性を担保することができる。
【００２９】
請求項８によれば、整理対象ユーザ選定手段は、他のユーザからの評価を加味した整理適合度を使用することで、客観性が担保された整理適合度により整理対象ユーザの選定を行うことができる。
【００３０】
請求項９によれば、評価ユーザ選定部を備えることで、評価適合度により整理対象ユーザの選定を行うので、整理対象仮想情報群を整理するのにより適した整理対象ユーザを選定することができる。
【図面の簡単な説明】
【００３１】
【図１】本発明の一実施形態に係る仮想情報管理システムのシステム構成図である。
【図２】仮想情報管理システムで使用されるウェアラブル型情報通信端末の構成を示すブロック図である。
【図３】仮想情報管理システムにおいて仮想情報を整理する場合の全体の流れを示すフローチャート図である。
【図４】本発明の他の実施形態に係る仮想情報管理システムのシステム構成図である。
【発明を実施するための形態】
【００３２】
本発明の仮想情報管理システムの実施形態の一例について、図１及び図２を参照しながら説明する。仮想情報管理システム１はウェアラブル型情報通信端末３向けに仮想情報を配信するシステムであり、複数端末（端末側）２に対して送受信可能なサーバ内に構成されている。図１は、端末側２への配信対象となる仮想情報を整理するための全体構成を示し、図２は、端末側２におけるウェアラブル型情報通信端末３の内部構成を示す。
【００３３】
仮想情報管理システム１は、仮想情報データベース１１と、仮想情報データベース管理部１２と、ユーザデータベース１３と、ユーザデータベース管理部１４と、仮想情報データベース管理部１２及びユーザデータベース管理部１４を管理する全体管理部１０と、整理対象仮想情報選定部１５と、整理対象ユーザ選定部１６と、仮想情報整理部１７と、報酬判定部１８を主要部として備えて構成されている。
また、ウェアラブル型情報通信端末３と仮想情報データベース管理部１２との間で仮想情報に関する情報の送受信を行う仮想情報投稿受理部２０及び仮想情報検索処理部２１を備えている。
【００３４】
仮想情報管理システム１の各部が構築されるサーバは、オペレーティングシステム（ＯＳ）を含む基本プログラムや各種の基本デバイスが記憶されたＲＯＭと、各種のプログラムやデータが記憶されるハードディスクドライブ装置（ＨＤＤ）と、ＣＲ−ＲＯＭやＤＶＤ等の記憶媒体からプログラムやデータを読み出すメディアドライブ装置と、プログラムを実行するＣＰＵと、このＣＰＵにワークエリアを提供するＲＡＭと、外部装置と通信するパラレル／シリアルＩ／Ｆとを主要部分とする一般的なコンピュータの構成を備えている。
【００３５】
仮想情報データベース１１は、端末側２に配信する仮想情報が蓄積されている。仮想情報は、例えばビル画像に対応する内部の店舗情報、建築物画像に対応する建築物の解説や説明情報等、地図情報や画像情報に紐づけられて補助する種々な情報が含まれる。
仮想情報データベース管理部１２は、仮想情報データベース１１を管理し、仮想情報毎にウェアラブル型情報通信端末３からの利用数を把握する。
【００３６】
ユーザデータベース１３は、仮想情報管理システム１を利用する複数のユーザのユーザ情報を蓄積している。
ユーザデータベース管理部１４は、全体管理部１０を介して仮想情報データベース１１の更新、及び、仮想情報を整理してくれるユーザを管理する。
【００３７】
整理対象仮想情報選定部１５は、仮想情報データベース１１を監視し、整理すべき仮想情報を選定する。すなわち、仮想情報データベース１１から質を向上すべき１つ以上の仮想情報である整理対象仮想情報群を選定するものである。
整理対象仮想情報群の選定は、仮想情報自体の新鮮さ、仮想情報へのユーザの注目度、周囲の仮想情報との位置的密集度、周囲の仮想情報との情報内容類似度で決まる整理必要度を算出することで行われる。整理必要度は、前記した新鮮さ、注目度等のうちの一つ若しくは複数の組み合わせで決められる。整理必要度の算出についての詳細説明は後述する。
【００３８】
整理対象ユーザ選定部１６は、整理すべき仮想情報群を整理してくれるユーザをユーザデータベース１３から整理対象ユーザとして選定する。
仮想情報整理部１７では、整理対象ユーザが整理対象仮想情報群を整理する処理を行う。
報酬判定部１８は、整理対象仮想情報群を整理してくれた整理対象ユーザに対して与える報酬を決定する。すなわち、整理前後における整理対象仮想情報群に関する情報に基づき、当該仮想情報群を整理した整理対象ユーザに付与する報酬を決定するものである。
【００３９】
図１の仮想情報管理システムでは、ウェアラブル型情報通信端末３、携帯電話／スマートフォン４、ＰＣ５等、種々の端末との間で仮想情報の取得や配信を行うようになっている。
ウェアラブル型情報通信端末３は、仮想情報管理システム１との間で情報の送配信が行われる仮想情報投稿部３１、仮想情報検索要求部３２、仮想情報取得部３３と、入力手段３４及び出力手段３５と、センシングデバイス３６と、センシングデバイス３６から情報を取得する位置取得部３７、方向取得部３８、カメラ映像取得部３９と、カメラ映像取得部３９の情報から対象物を認識する対象物認識部４０と、対象物認識用データベース４１と、出力手段３５がディスプレイする情報を制御するディスプレイ表示制御部４２と、を備えて構成されている。
【００４０】
入力手段３４は、音声、タッチパッド、リモコン等で入力できるユーザインタフェースで構成されている。出力手段３５は、画像を表示するディスプレイ画面と、音声を再生するヘッドフォンを備えて構成されている。センシングデバイス３６は、入力手段３４からの信号により起動するカメラ、ＧＰＳ、方向認識デバイス等を備えている。
【００４１】
次に、仮想情報管理システムにおける仮想情報を整理する場合の全体の流れについて、図３のフローチャートを参照しながら説明する。
仮想情報データベース管理部１２からの情報に基づき、整理対象仮想情報選定部１５が整理すべき整理対象仮想情報群を選定する（ステップ５１）。
ユーザデータベース管理部１４からの情報に基づき、整理対象ユーザ選定部１６が整理対象仮想情報群を整理する整理対象ユーザを選定する（ステップ５２）。
仮想情報整理部１７が整理対象仮想情報群の仮想情報を整理する（ステップ５３）。
整理された仮想情報に基づき、仮想情報データベース管理部１２が仮想情報データベース１１における仮想情報を更新する（ステップ５４）。
報酬判定部１８が整理対象ユーザの報酬を決定する（ステップ５５）。
選定された整理対象ユーザの情報に基づき、ユーザデータベース管理部１４がユーザデータベース１３のユーザ情報を更新する（ステップ５６）。
【００４２】
続いて、ウェアラブル型情報通信端末３に対して、ユーザの位置情報に基づき、仮想情報を検索し、提示するまでの流れに沿って各部の機能について説明する。
入力手段３４の操作によりセンシングデバイス３６のＧＰＳが起動することで、位置取得部３７がユーザの現在位置を特定し、方向取得部３８によりユーザが向いている方向を算出し、カメラ映像取得部３９によりユーザが向いている方向の画像を取得する。
対象物認識部４０では、カメラ映像取得部３９から取り込んだ映像の中で、ユーザが見ている現実世界に存在し、かつ、仮想情報と紐付けて重畳して表示する対象物があるかないかを判断すると共に、その対象物を特定する。
【００４３】
仮想情報検索要求部３２では、位置取得部３７で取得したユーザの位置、方向取得部３８で取得したユーザが向いている方向、対象物認識部４０で特定されたユーザが見ている対象物に応じて、仮想情報検索処理部２１を介して仮想情報管理システム１の仮想情報データベース１１から、ディスプレイに表示する仮想情報を要求する。この要求に応じて、情報管理システム１から仮想情報取得部３３が仮想情報を読み込み、ディスプレイ表示制御部４２を介して出力手段３５で出力する。
なお、対象物認識部４０は、上述したように、カメラ映像取得部３９の情報から対象物を認識するものであるが、位置取得部３７で検出されるユーザのいる位置と、方向取得部３８で検出されるユーザが向いている方向から、ユーザの視野に入っているであろう対象物を識別することで、仮想情報検索要求部３２において、カメラから得られた画像を用いることなくユーザが見ている対象物を認識して仮想情報の検索要求をしてもよい。
【００４４】
仮想情報投稿部３１は、ユーザが見ている現実世界の中の任意の仮想情報を、仮想情報投稿受理部２０を介してディスプレイに表示可能な状態で投稿し、仮想情報取得部３３で取得した仮想情報に関してディスプレイ表示制御部４２を通じて出力手段３５に表示する。
【００４５】
次に、仮想情報管理システム１における各部の機能について説明する。
仮想情報データベース１１に蓄積される仮想情報には、以下の要素が含まれる。
・識別子（仮想情報ごとに一意なもの）
・種別（テキスト、ハイパーリンク、画像、音声、動画）
・内容（情報の本体、あるいは、さらに詳細情報にアクセスするためのハイパーリンク）
・位置情報（緯度および経度）
・アップロードユーザ識別子（仮想情報を初期登録したユーザの識別子）
・公共性識別子
・利用数
・最終更新ユーザ（最後に更新したユーザの識別子）
・最終更新日（最後に更新された年月日および時刻）
【００４６】
ここで、利用数は、ウェアラブル型情報通信端末３の出力手段３５を通じて提示された仮想情報に対して、ユーザが見た回数、あるいは、ユーザがその詳細情報にさらにアクセスした数とする。又は、仮想情報が提示された数の総計、仮想情報を提示した時間の総計としてもよい。
仮想情報が提示された数や提示した時間は、ウェアラブル型情報通信端末３の入力手段３４であるカメラを介してカメラ映像取得部３９から取り込まれた映像中に、当該仮想情報を表示すべき対象物が検出された数や検出された時間に置き換えてもよい。あるいは、ウェアラブル型情報通信端末３の入力手段３４を介してカメラ映像取得部３９から取り込まれた映像中に、当該仮想情報を表示すべき対象物が検出され、さらに、その対象物が、ウェアラブル型情報通信端末３のディスプレイ（出力手段３５）におけるユーザの視界の中央部の矩形領域内に一定時間入った回数や時間に置き換えてもよい。
【００４７】
公共性識別子は、仮想情報をアップロードしたユーザの種類によって決定され、同ユーザがどの程度社会的に信頼できる立場であるかを示す。公共性識別子は、例えば、法人名義か個人名義かに分類される。法人名義でアップロードされた仮想情報は、当該法人の目的（営利／非営利、公益性、共益性）に関係ないものとする。
なお、法人か個人かの識別は、この仮想情報管理システムでアップロードするためのユーザ初期登録時に設定されているものとする。
【００４８】
法人名義でアップロードされた仮想情報に対する整理は、当該仮想情報をアップロードした法人自身が、仮想情報管理システム１上でユーザが健全に利用できるよう、実施することになる。そのため、法人名義でアップロードされた仮想情報に対する整理は、この仮想情報管理システム１の適用外となる。一方、個人名義でアップロードされた仮想情報に対する整理は、仮想情報管理システム１内で選定されるユーザが行う。
【００４９】
仮想情報データベース管理部１２は、仮想情報データベース１１を管理し、整理対象仮想情報選定部１５と共に、整理すべき整理対象仮想情報群を選定する。
【００５０】
ユーザデータベース１３に蓄積される仮想情報には、以下の要素が含まれる。
・識別子（仮想情報管理システムにおけるユーザごとに一意なもの）
・端末種別（ウェアラブル型情報通信端末、携帯電話、スマートフォン、ＰＣ）
・報酬ポイント数
・過去にアップロードした仮想情報識別子列
・過去に利用した仮想情報識別子列
・過去に整理した仮想情報識別子列
【００５１】
ユーザデータベース管理部１４は、ユーザデータベース１３を管理し、整理対象ユーザ選定部１６と共に、整理対象仮想情報群を整理してもらう整理対象ユーザを選定する。
【００５２】
整理対象仮想情報選定部１５は、整理すべき仮想情報群を選定する。整理対象仮想情報群を選定する選定基準には、以下の場合が考えられる。
（１）一定範囲内の位置において、一定数以上の仮想情報が蓄積された場合。一定地域における情報量の増大により、本来必要な情報の取得が困難になるのを防ぐためである。
（２）一定範囲内の位置において、ウェアラブル型情報通信端末３からの利用数があった場合。利用数があることで、ユーザが情報を得たい場所であると認識する。
（３）一定範囲内の位置において、ウェアラブル型情報通信端末３の出力手段３５を通じて、仮想情報が提示されたにも関わらず、その詳細情報にアクセスされなかった数が一定数以上あった場合。ユーザが不要な情報と判断している可能性があるからである。
（４）位置情報および仮想情報内容に基づき、複数の仮想情報間の類似度を算出して、類似性の高い仮想情報があった場合。ある位置情報と他の仮想情報との類似度は、主体となる仮想情報の位置から一定距離範囲内に含まれる仮想情報数に基づき定義する。
また、当該主体となる仮想情報について、仮想情報自体に基づく他の仮想情報との類似度は、例えばテキスト／画像／映像解析技術で利用されている類似度判定技術に基づき定義する。
【００５３】
整理対象仮想情報選定部１５では、上述のような状況を考慮し、個人名義でアップロードあるいは整理された仮想情報について、随時算出される「整理必要度」に基づき、整理対象か否かを判定する。
個人名義でアップロードされる仮想情報に対する整理必要度Ｃは、仮想情報管理システムのユーザの利用状況、整理状況、および、仮想情報の位置および仮想情報内容に応じて、下のような式で算出する。
【００５４】
整理必要度Ｃ ＝ −Ｃa − Ｃb ＋ Ｃc ＋ Ｃd
【００５５】
式中の各パラメータについて説明する。
Ｃaは、「仮想情報の新鮮さ」である。
「仮想情報の新鮮さ」Ｃaは、アップロードあるいは整理されてからの時間経過と共に、単調減少する式で定義する。新鮮さが低下したら、整理対象の仮想情報になり得る。
【００５６】
Ｃbは、「仮想情報へのユーザの注目度」である。
「仮想情報へのユーザの注目度」Ｃbは、アップロードあるいは整理されてからの時間経過と共に、仮想情報に対する利用数が変化する。直近の時間Ｔhの間の利用数の変化率で定義する。注目度が低下したら、整理対象の仮想情報になり得る。 
【００５７】
Ｃcは、「周囲の仮想情報との密集度」である。
「周囲の仮想情報との密集度」Ｃcは、アップロードあるいは整理されてからの時間経過と共に、当該仮想情報の位置から一定距離Ｌ範囲内の他の仮想情報の数が変化するので、その変化率で定義する。密集度が上昇したら、整理対象の仮想情報になり得る。
【００５８】
Ｃdは、「周囲の仮想情報との情報内容類似度」である。
「周囲の仮想情報との情報内容類似度」Ｃdは、仮想情報の位置から一定距離Ｌ範囲内の他の仮想情報とのコンテンツベース類似度推定技術により算出される。類似度が上昇したら、整理対象の仮想情報になり得る。
【００５９】
上述した各パラメータの算出は、仮想情報管理システムが稼働中、一定時間間隔で仮想情報データベース内の全仮想情報について実施し、Ｃ値の上位Ｎ個の仮想情報、あるいは、Ｃ値と閾値Ｃα値より大きい仮想情報を抽出し、整理対象の仮想情報とする。
【００６０】
整理対象ユーザ選定部１６は、整理対象仮想情報選定部１５にて選定された整理対象仮想情報群を整理してくれるユーザを整理対象ユーザとして選定する。整理対象ユーザの選定基準には、以下の場合が考えられる。
（１）当該仮想情報のアップロードユーザである。アップロードユーザしたユーザが当該仮想情報について詳しいと推定できるからである。
（２）当該仮想情報の最終更新ユーザである。最終更新ユーザが、仮想情報の最新情報を得ていると推定できるからである。
（３）仮想情報データベース内の仮想情報の中で、利用数が一定数以上、あるいは、上位の仮想情報をアップロードしたユーザである。最新の仮想情報取得に熱心なユーザであると推定できるからである。
（４）当該仮想情報に対して、ウェアラブル型情報通信端末の出力手段を通じて提示された回数が多いユーザの中で、一定数以上、あるいは、上位のユーザである。提示される回数が多いことで、仮想情報の内容について他のユーザからの信頼性が高いと推定できるからである。
（５）報酬ポイント数が一定数以上、あるいは、上位のユーザである。報酬ポイント数が多いと、情報取得に信頼性があると推定できるからである。
（６）整理すべき仮想情報群の内容に類似した仮想情報を、過去にアップロード、あるいは、更新したユーザである。内容が類似する仮想情報のアップデートや更新に関与することで、当該仮想情報に関する新しい情報も取得していると推定できるからである。
（７）ユーザ毎の過去に同システムにアップロードした仮想情報、利用した仮想情報、修正した仮想情報に関するユーザ利用履歴と、整理対象の仮想情報群との類似度が小さい。
【００６１】
整理対象ユーザ選定部１６では、上述のような状況を考慮し、随時算出される「整理適合度」に基づき、整理対象になった仮想情報の整理対象ユーザとして相応しいか否かを判定する。
ユーザ毎の整理対象仮想情報群に対する整理適合度Ｍは、当該ユーザの利用状況、および、整理状況に応じて決定し、下のような式で算出する。
【００６２】
Ｍ＝ Ｍa ＋ Ｍb ＋ Ｍc ＋ Ｍd ＋ Ｍe
【００６３】
式中の各パラメータについて説明する。
Ｍaは、「整理対象仮想情報群への関与度」である。
「整理対象仮想情報群への関与度」Ｍaは、当該対象仮想情報群の全体数について、自らがアップロードあるいは整理した仮想情報の数の割合であり、対象仮想情報群に対する関与度の総和で表す。関与度が大きいほど、整理対象ユーザになり得る。
【００６４】
Ｍbは、「整理対象仮想情報群への空間的興味度」である。
当該対象仮想情報群のそれぞれは、アップロードあるいは整理されてからの時間経過と共に、利用数が変化する。「整理対象仮想情報群への空間的興味度」Ｍbは、直近の時間Ｔhの間の時間変化率で定義し、対象仮想情報群に対する興味度の総和で表す。直近の興味度が高い、つまり、仮想情報の位置に近い場所を頻繁に通るほど、整理対象ユーザになり得る。
【００６５】
Ｍcは、「整理対象仮想情報群への時間的興味度」である。
当該対象仮想情報群のそれぞれは、アップロードあるいは整理されてからの時間経過と共に、利用する時間、つまり、ウェアラブル型情報通信端末の出力手段を通じて、仮想情報が提示された時間が得られる。「整理対象仮想情報群への時間的興味度」Ｍcは、直近の時間Ｔhの間の時間変化率で定義し、対象仮想情報群に対する興味度の総和で表す。直近の興味度が高い、つまり、仮想情報を長い時間利用しているほど、整理対象ユーザになり得る。
【００６６】
Ｍdは、「仮想情報管理システムへの貢献度」である。
「仮想情報システムへの貢献度」Ｍdは、仮想情報データベース１１内の仮想情報の全体数に対して、利用数が閾値Ｇ値より大きい仮想情報のアップロードあるいは整理に携わった数である。整理対象仮想情報だけでなく、仮想情報管理システム全体への貢献を示す。「仮想情報システムへの貢献度」Ｍdは、直近の時間Ｔhの間の時間変化率で定義する。直近の貢献度が高いほど、整理対象ユーザになり得る。
【００６７】
Ｍeは、「仮想情報管理システムへの利用積極度」である。
「仮想情報管理システムへの利用積極度」Ｍeは、ユーザが仮想情報管理システム１をどの程度積極的に利用しているかを示すものである。報酬ポイントの獲得状況は、時間経過と共に変化する。「仮想情報管理システムへの積極度」Ｍeは、直近の時間Ｔhの間の時間変化率で定義する。直近の積極度が高いほど、整理対象ユーザになり得る。
【００６８】
上述したＭ値の算出は、仮想情報管理システム１の稼働中、一定時間間隔でユーザデータベース１３内の全ユーザについて実施し、Ｍ値の上位Ｋ人のユーザ、あるいは、Ｍ値と閾値Ｍβ値より大きいユーザを抽出し、整理対象ユーザとする。２人以上のユーザが抽出された場合は、各人に整理実施について要望し、最初に了承を得たユーザを最終的に依頼するようにしてもよい。あるいは、整理対象ユーザ選定後、整理対象仮想情報を最初に利用したユーザとしてもよい。
【００６９】
なお、空間的興味度Ｍb、時間的興味度Ｍc、貢献度Ｍd、利用積極度Ｍeにおいては、整理対象ユーザが仮想情報管理システムを利用する直近の時間変化率で定義されるので、ユーザが仮想情報管理システムに負の影響を与える際には、各値が負になり得ることから、整理してもらうユーザとして相応しくないユーザを排除することができる。
【００７０】
仮想情報整理部１７は、整理対象仮想情報選定部１５にて選定された整理対象仮想情報群について、整理対象ユーザ選定部１６にて選定された整理対象ユーザに整理を要求し提示する。
【００７１】
仮想情報整理部１７では、整理によって複数の仮想情報が１つの仮想情報に集約されたり、不要な仮想情報が削除される。ただし、整理する前の仮想情報を仮想情報管理システム１から完全に削除せず、整理された履歴と整理前の仮想情報にアクセスする手段が残るようにしてもよい。
【００７２】
報酬判定部１８は、整理対象仮想情報群を整理した整理対象ユーザに対する報酬ポイントを算出し、整理対象ユーザに与える。
例えば、報酬ポイントの算出基準は、以下のようなものが考えられる。
（１）仮想情報整理部１７からの整理対象仮想情報群の整理要求に対して、整理完了するまでの経過時間。経過時間が短いほど、要求に対する速い対応であるので、報酬を高く設定する。
（２）整理し終えた仮想情報に対して、その前後の利用数の変化数。変化数が高いほど、有用な整理と判断し、報酬を高く設定する。
（３）（２）において、整理後の経過時間の変化に対して、利用数の変化数あるいは変化率。変化数および変化率が高いほど、有用な整理と判断し、報酬を高く設定する。
（４）整理し終えた仮想情報に対して、その前後の仮想情報数の変化。より多くの仮想情報を、より少なく整理した方が報酬を高く設定する。
（５）整理した仮想情報の内容に応じた基準。整理する前の仮想情報群に含まれる単語数の異なり数に対して、整理した後の仮想情報に含まれる単語数の異なり数の変化数。異なり数の変化数が大きい方が高い、つまり、より多くの単語数から、より少なく整理した方が報酬を高く設定する。
（６）仮想情報の種別が、動画、音声、画像、ハイパーリンク、テキストの順で、報酬を高く設定する。
（７）仮想情報を整理した状況、つまり、その人にとっての大変さに応じた基準。移動中であると報酬を高く設定する。移動中かどうかの判定は、端末に内蔵されるセンサデバイスを利用して、ユーザが歩行中、乗物に乗車中かを判定する。
【００７３】
報酬判定部１８では、上述のような状況を考慮し、整理対象ユーザの報酬ポイントＰについて、下のような式で算出する。
【００７４】
Ｐ =Ｐa ＋ Ｐb ＋ Ｐc ＋ Ｐd ＋ Ｐe ＋ Ｐf
【００７５】
式中の各パラメータについて説明する。
Ｐaは、「整理依頼に対する積極度」である。
「整理依頼に対する積極度」Ｐaは、仮想情報整理部１７からの整理要求について、時間経過と共に、積極度が単調減少する式で定義する。一定時間Ｐtより以前なら正、以降なら負とする。経過時間が短いほど、報酬ポイントが上昇する。
【００７６】
Ｐbは、「整理依頼に対する整理完了有無」である。
「整理依頼に対する整理完了有無」Ｐbは、整理要求に対して、整理作業を完了したら正の報酬ポイントとする。完了しない限り、本項目はゼロとする。
【００７７】
Ｐcは、「整理による利用数変化度」である。
「整理による利用数変化度」Ｐcは、整理完了した仮想情報について、その後の時間経過と共に、利用数が変化する。整理前の利用数に対して、整理後の利用数の伸び率で定義する。伸び率が大きいほど、報酬ポイントが上昇する。
【００７８】
Ｐdは、「整理による情報量変化度」である。
「整理による情報量変化度」Ｐdは、複数の仮想情報群を整理することで、情報量が変化する。整理前の情報量に対して、整理後の情報量の変化率で定義する。情報量が少なくなるほど、報酬ポイントが上昇する。情報量として、仮想情報の数を利用してもよいし、対象仮想情報群の総文字数を利用してもよいし、単語数を利用してもよいし、情報の種別（動画、音声、画像、ハイパーリンク、テキスト）に基づき定義した数を利用してもよい。
【００７９】
Ｐeは、「整理による情報の分かりやすさ」である。
「整理による情報の分かりやすさ」Ｐeは、複数の整理対象仮想情報群を整理した後の情報の分かりやすさで定義する。分かりやすさの採点は、仮想情報管理システム１の管理者によって付与される。
【００８０】
Ｐfは、「整理による他ユーザからの評価」である。
「整理による他ユーザからの評価」Ｐfは、複数の整理対象仮想情報群を整理した後の情報について、「いいね」などのＵＩ（ユーザインタフェース）を通じて他のユーザによって付与されるもので定義する。
【００８１】
次に、仮想情報管理システム１の第２の実施形態について説明する。
この実施形態では、仮想情報データベース１１に蓄積される仮想情報が、第１の実施形態では考慮されない評価値を加えた以下の要素で構成される。他の構成は、第１の実施形態と同様である。
・識別子（仮想情報ごとに一意なもの）
・種別（テキスト、ハイパーリンク、画像、音声、動画）
・内容（情報の本体、あるいは、さらに詳細情報にアクセスするためのハイパーリンク）
・位置情報（緯度および経度）
・アップロードユーザ識別子（仮想情報を初期登録したユーザの識別子）
・公共性識別子
・評価値
・最終更新ユーザ（最後に更新したユーザの識別子）
・最終更新日（最後に更新された年月日および時刻）
【００８２】
評価値は、ユーザの中から選ばれた複数の評価者が、当該仮想情報の価値を複数の段階で評価した結果を総合したものとする。例えば、複数の評価者による評価値の平均値で算出する。また、複数の段階での評価値は、０から１０までの整数のいずれかとする。
評価者は、当該仮想情報の投稿者以外のユーザから選定する。第１の実施形態の整理対象ユーザ選定部１６での整理適合度の算出において、投稿者自らが関与する部分を除いた式により求める。
【００８３】
仮想情報管理システム１において、ウェアラブル型情報通信端末３を通じて、評価値が付いた仮想情報を見るとき、評価値の値によって、端末に表示される仮想情報を自動的に取捨選択する。第１の実施形態の整理対象仮想情報選定部１５での整理必要度の算出において、表示する評価値と表示しない評価値との閾値を固定的に決定してもよいし、各ユーザがその都度変更できるようにしてもよい。その都度変更することにより、評価値の低い整理する前の仮想情報にもアクセスできるようになる。
評価者への報酬は、第１の実施形態と同様の式により求める。整理による報酬ポイントは、評価したことによる報酬ポイントして置き換える。
【００８４】
続いて、仮想情報管理システムの第３の実施形態について説明する。
第３の実施形態では、図４に示すように、図１の仮想情報管理システムの構成に、整理情報評価部２５及び評価ユーザ選定部２６を追加する。
この例では、整理対象ユーザが不適切な情報整理を行わないよう、他のユーザから評価を受けた上で、整理された情報を実際に更新するようになっている。
【００８５】
すなわち、整理情報評価部２５では、仮想情報整理部１７において、整理対象ユーザが、整理対象仮想情報群を整理した際、整理情報評価部２５は、他の複数のユーザ（最終評価ユーザ）に、整理された仮想情報を最終的に更新してよいかどうかを評価させる。最終評価ユーザの中で、多数決、あるいは、満場一致で可決となれば、整理された情報を、最終的に更新する。
【００８６】
また、整理対象ユーザ選定部１６では、ユーザの整理適合度を算出する際、整理情報評価部２５での評価値あるいは評価回数が大きいほど、整理対象ユーザになり得るよう、他ユーザからの評価度Ｍfを追加する。
【００８７】
評価ユーザ選定部２６は、選定された整理対象仮想情報群を、選定された整理対象ユーザが整理した際、その内容を評価するユーザを選定する。整理対象ユーザ選定部１６と同様に、整理対象仮想情報群への興味度、システム全体への貢献度、システム全体への積極度で決まる評価適合度を算出し、評価してもらうのに相応しい整理対象ユーザを選定する。
【００８８】
上述した各仮想情報管理システム１によれば、ウェアラブル型情報通信端末３向けの仮想情報を共有する仮想情報管理システムにおいて、より良質な情報、整理された情報を継続的に蓄積することができる。
また、仮想情報管理システム１により仮想情報を提示されたウェアラブル型情報通信端末３のユーザにおいて、仮想情報が多過ぎることによる目障りを解消するとともに、サービス提供者からの一方的な情報だけでなく、一般のユーザ目線での仮想情報を蓄積して表示することで、より有益な仮想情報を得ることができる。
【符号の説明】
【００８９】
１…仮想情報管理システム、  ２…複数端末（端末側）、  ３…ウェアラブル型情報通信端末、４…携帯電話／スマートフォン、  ５…ＰＣ、  １０…全体管理部、  １１…仮想情報データベース、  １２…仮想情報データベース管理部、  １３…ユーザデータベース、  １４…ユーザデータベース管理部、  １５…整理対象仮想情報選定部、  １６…整理対象ユーザ選定部、  １７…仮想情報整理部、  １８…報酬判定部、  ２０…仮想情報投稿受理部、  ２１…仮想情報検索処理部、  ２５…整理情報評価部、  ２６…評価ユーザ選定部、  ３１…仮想情報投稿部、  ３２…仮想情報検索要求部、  ３３…仮想情報取得部、  ３４…入力手段、  ３５…出力手段、  ３６…センシングデバイス、  ３７…位置取得部、  ３８…方向取得部、  ３９…カメラ映像取得部、  ４０…対象物認識部、  ４１…対象物認識用データベース、  ４２…ディスプレイ表示制御部。
【図１】
2015153157.tif 000003
【図２】
2015153157.tif 000004
【図３】
2015153157.tif 000005
【図４】
2015153157.tif 000006